(57)【要約】【課題】放射性物質を含む汚染水を効率良く除染することができると共に、除染による放射性廃棄物の発生量が少ない放射性物質の除染方法、放射性物質の吸着剤、及び放射性物質の除染器具を提供する。【解決手段】籾殻、籾殻炭、及び、稲わらからなる群のうちの少なくとも１つを含む吸着剤に放射性物質を吸着させることにより、放射性物質を含む汚染水を除染する。放射性物質を吸着させた吸着剤は、例えば、焼却あるいは堆肥化等の生分解により減容化することができる。【選択図】図１
2013170967.tif 000002
【特許請求の範囲】
【請求項１】
放射性物質を含む汚染水の放射性物質濃度を低減する放射性物質の除染方法であって、
汚染水に含まれる放射性物質を籾殻、籾殻炭、及び、稲わらからなる群のうちの少なくとも１つを含む吸着剤に吸着させて放射性物質濃度を低減することを特徴とする放射性物質の除染方法。
【請求項２】
網目状部を有する収納体の中に前記吸着剤を収納して汚染水を浸潤させることを特徴とする請求項１記載の放射性物質の除染方法。
【請求項３】
前記吸着剤に放射性物質を吸着させたのち、前記吸着剤を焼却することを特徴とする請求項１又は請求項２記載の放射性物質の除染方法。
【請求項４】
前記吸着剤に放射性物質を吸着させたのち、前記吸着剤を生分解することを特徴とする請求項１又は請求項２記載の放射性物質の除染方法。
【請求項５】
汚染水に含まれる放射性物質を吸着することにより汚染水の放射性物質濃度を低減する放射性物質の吸着剤であって、
籾殻、籾殻炭、及び、稲わらからなる群のうちの少なくとも１つを含むことを特徴とする放射性物質の吸着剤。
【請求項６】
放射性物質を含む汚染水の放射性物質濃度を低減する放射性物質の除染器具であって、
内部に汚染水を処理する処理空間が設けられると共に、外部から内部に汚染水を導入する導入口と、内部から外部に処理した汚染水を導出する導出口とが設けられた処理容器を備え、
この処理容器の内部には、籾殻、籾殻炭、及び、稲わらからなる群のうちの少なくとも１つを含む吸着剤が収納された
ことを特徴とする放射性物質の除染器具。
【発明の詳細な説明】
【技術分野】
【０００１】
本発明は、セシウム１３７・セシウム１３４等の放射性物質を含む汚染水の放射性物質濃度を低減する放射性物質の除染方法、放射性物質の吸着剤、及び放射性物質の除染器具に関する。
【背景技術】
【０００２】
東京電力福島第一原子力発電所の事故に伴い、セシウム１３７・セシウム１３４を中心とした放射性物質による汚染が問題となっている。大気中に放出された放射性物質は雨などにより地上に降下し、側溝、屋根、壁、庭土や敷砂利、原木、雨樋、プール、ため池、ダム、又は、各種用水路等に多く付着または含まれている。これらの除染としては、例えば、高圧水等を用いて洗い流す方法があるが、一方で、この作業により、放射性物質を含む汚染水が多量に発生してしまう。よって、除染作業により生じた放射性物質を含む汚染水を処理することが必要となる。
【０００３】
従来より、放射性セシウムの吸着剤としては、例えば、無機物のゼオライトが知られており、ゼオライトに放射性物質を吸着させて、汚染水から放射性物質を低減することが提案されている（例えば、特許文献１及び特許文献２参照）。しかしながら、一旦、地表に落下したものは、粘土粒子等と結合しており、陽イオン帯とはなっていないことから、ゼオライトは放射性物質の吸着量が十分とはいえず、処理効率が悪いという問題があった。また、放射性物質を吸着させた後のゼオライトは、減容化することが難しく、そのまま隔離容器に入れて保管しなければならないので、放射性廃棄物が多量に発生してしまうという問題もあった。
【先行技術文献】
【特許文献】
【０００４】
【特許文献１】特開２００５−１７７７０９号公報
【特許文献２】特開２００２−２６７７９５号公報
【発明の概要】
【発明が解決しようとする課題】
【０００５】
本発明は、このような問題に基づきなされたものであり、放射性物質を含む汚染水を効率良く除染することができると共に、除染による放射性廃棄物の発生量が少ない放射性物質の除染方法、放射性物質の吸着剤、及び放射性物質の除染器具を提供することを目的とする。
【課題を解決するための手段】
【０００６】
本発明の放射性物質の除染方法は、放射性物質を含む汚染水の放射性物質濃度を低減するものであって、汚染水に含まれる放射性物質を籾殻、籾殻炭、及び、稲わらからなる群のうちの少なくとも１つを含む吸着剤に吸着させて放射性物質濃度を低減するものである。
【０００７】
本発明の放射性物質の吸着剤は、汚染水に含まれる放射性物質を吸着することにより汚染水の放射性物質濃度を低減するものであって、籾殻、籾殻炭、及び、稲わらからなる群のうちの少なくとも１つを含むものである。
【０００８】
本発明の放射性物質の除染器具は、放射性物質を含む汚染水の放射性物質濃度を低減するものであって、内部に汚染水を処理する処理空間が設けられると共に、外部から内部に汚染水を導入する導入口と、内部から外部に処理した汚染水を導出する導出口とが設けられた処理容器を備え、この処理容器の内部には、籾殻、籾殻炭、及び、稲わらからなる群のうちの少なくとも１つを含む吸着剤が収納されたものである。
【発明の効果】
【０００９】
本発明によれば、籾殻、籾殻炭、及び、稲わらからなる群のうちの少なくとも１つを含む吸着剤を用いるようにしたので、放射性物質の吸着率を高くすることができ、効率よく放射性物質を除染することができる。また、籾殻、籾殻炭、又は、稲わらを用いるので、放射性物質を吸着させたのちに、例えば、焼却あるいは堆肥化等の生分解の処理をすることにより、減容化することができ、放射性廃棄物の量を少なくすることができる。更に、吸着剤の価格を安価とすることができ、除染にかかる費用を低減することができる。
【図面の簡単な説明】
【００１０】
【図１】本発明の一実施の形態に係る除染器具の構成を表す断面図である。
【発明を実施するための形態】
【００１１】
以下、本発明の実施の形態について、図面を参照して詳細に説明する。
【００１２】
本発明の放射性物質の除染方法は、本発明の放射性物質の吸着剤を用いて、放射性物質を含む汚染水の放射性物質濃度を低減するものである。本発明の放射性物質の吸着剤は、籾殻、籾殻炭、及び、稲わらからなる群のうちの少なくとも１つを含んでいる。籾殻、籾殻炭、及び、稲わらは、放射性物質の吸着率が高く、安価であり、かつ、焼却あるいは堆肥化等の生分解等により減容化することができるので好ましい。
【００１３】
この吸着剤は、例えば、網目状部を有する収納体、例えば、ネット状の袋に入れて用いることが好ましい。吸着剤の取り扱いを容易とすることができると共に、汚染水と十分に接触させることができるからである。なお、ネット状の袋は、開口部を紐やファスナー等により開閉可能とすれば、取り扱いをより容易とすることができるので好ましい。
【００１４】
放射性物質の除染方法としては、例えば、網目状部を有する収納体に吸着剤を入れ、収納体ごと汚染水中に浸漬して、吸着剤に汚染水を浸潤させる。汚染水は、特別な容器に収納する必要はなく、例えば、側溝、用水路、又は河川の中に、収納体に収納した吸着剤を浸漬させるようにすればよい。また、例えば、図１に示したような除染器具１０を用いて除染するようにしてもよい。
【００１５】
図１に示した除染器具１０は、内部に汚染水を処理する処理空間が設けられた処理容器１１を備えている。処理容器１１には、外部から内部に汚染水を導入する導入口１２と、内部から外部に処理した汚染水を導出する導出口１３とが設けられており、処理空間に汚染水を流通させることができるようになっている。導入口１２には、例えば、導入管１４が接続され、導出口１３には、例えば、導出管１５が接続されている。導入口１２は、例えば、処理容器１１の上方に設けられ、導出口１３は、例えば、処理容器１１の下方に設けられることが好ましい。導出管１５には、例えば、栓１６を設け、処理容器１１の内部に汚染水を溜めて処理できるようにしてもよい。
【００１６】
処理容器１１の内部には、籾殻、籾殻炭、及び、稲わらからなる群のうちの少なくとも１つを含む吸着剤１７が収納されている。処理容器１１は、例えば、図示しないが一部が開閉可能とされており、吸着剤１７を内部に収納したり、内部から取り出したりすることができるようになっている。吸着剤１７は、上述したように、網目状部を有する収納体に入れて処理容器１１の内部に収納してもよく、また、導入口１２及び導出口１３を図示しない網目体で覆い、処理容器１１の内部に直接収納するようにしてもよい。
【００１７】
放射性物質を吸着させた後の吸着剤は、例えば、焼却あるいは堆肥化等の生分解等により減容化することが好ましい。
【００１８】
このように、本実施の形態によれば、籾殻、籾殻炭、及び、稲わらからなる群のうちの少なくとも１つを含む吸着剤を用いるようにしたので、放射性物質の吸着率を高くすることができ、効率よく放射性物質を除染することができる。また、籾殻、籾殻炭、又は、稲わらを用いるので、放射性物質を吸着させたのちに、例えば、焼却あるいは堆肥化等の生分解の処理をすることにより、減容化することができ、放射性廃棄物の量を少なくすることができる。更に、吸着剤の価格を安価とすることができ、除染にかかる費用を低減することができる。
【実施例】
【００１９】
（実施例１〜３）
福島県南相馬市の東京電力福島第一原子力発電所から２３ｋｍ圏におけるダムからの用水に吸着剤を２ヶ月間にわたり浸潤させ、吸着剤に吸着された放射性物質の量を測定した。吸着剤には、実施例１では籾殻を用い、実施例２では籾殻炭を用い、実施例３では稲わらを用いた。吸着剤は、いずれもネット状の袋に入れて用水に浸漬した。また、放射性物質の測定は、γ線スペクトロメーター（ゲルマニウム半導体検出器）法により行った。得られた結果を表１に示す。
【００２０】
（比較例１，２）
実施例１〜３に対する比較例１，２として、吸着剤を異ならせたことを除き、他は実施例１〜３と同様にして、吸着剤に吸着された放射性物質の量を測定した。吸着剤には、比較例１ではゼオライトを用い、比較例２ではバーミキュライトを用いた。得られた結果を表１に示す。
【００２１】
【表１】
2013170967.tif 000003
【００２２】
表１に示したように、吸着剤に吸着された放射性物質の量は、セシウム１３４とセシウム１３７の合計で、実施例１の籾殻で３２０００Ｂｑ／ｋｇ、実施例２の籾殻炭で２４０００Ｂｑ／ｋｇ、実施例３の稲わらで５１０００Ｂｑ／ｋｇであった。これに対して、比較例１のゼオライトは２０８０Ｂｑ／ｋｇ、比較例２のバーミキュライトは４０００Ｂｑ／ｋｇと実施例１〜３に比べて低かった。すなわち、籾殻、籾殻炭、及び、稲わらからなる群のうちの少なくとも１つを用いるようにすれば、放射性物質を多く吸着することができ、効率良く除染できることが分かった。
【００２３】
以上、実施の形態を挙げて本発明を説明したが、本発明は上記実施の形態に限定されるものではなく、種々変形可能である。
【産業上の利用可能性】
【００２４】
放射性物質を含む汚染水の除染に用いることができる。
【符号の説明】
【００２５】
１０…除染器具、１１…処理容器、１２…導入口、１３…導出口、１４…導入管、１５…導出管、１６…栓、１７…吸着剤
【図１】
2013170967.tif 000004